(57)【要約】【課題】  従来存在しなかった全く新しいコンセプトに基づき、親と子供若しくは大人と子供が対面して同時に使用することができる対面デスク態様へ組替えることが可能であるとともに、１人が使用する複数の態様にも組替えることが可能な組替えデスク及び対面型デスクを提供する。【解決手段】  天板１、両脚板２、幕３及び単又は複数の棚板４とで構成し、両脚板間に天板を前後及び上下位置変更可能に取付けるとともに、両脚板の後端間に幕板を上下位置変更可能に取付け、更に棚板を両脚板間の後部に上下位置変更可能に取付けてなる。【選択図】        図１ 
2005124957.tif 000002
【特許請求の範囲】
【請求項１】
天板、両脚板、幕板及び単又は複数の棚板とで構成し、両脚板間に天板を前後及び上下位置変更可能に取付けるとともに、両脚板の後端間に前記幕板を上下位置変更可能に取付け、更に前記棚板を両脚板間の後部に上下位置変更可能に取付けたことを特徴とする組替えデスク。
【請求項２】
前記脚板の前部に天板取付用の第１取付孔を上下方向に所定間隔毎に列設し、前記脚板の後部に棚板取付用の第２取付孔を上下方向に所定間隔毎に列設し、前記脚板の後端縁に沿って幕板取付用の第３取付孔を上下方向に所定間隔毎に設け、前記天板の側端面には前記第１取付孔及び第２取付孔に応じて前後位置変更可能とすべく前後方向に複数の螺孔を形成し、前記棚板の側端面には前記第２取付孔に応じて螺孔を形成し、前記幕板の側端面には前記第３取付孔に応じて上下方向に複数の螺孔を形成してなる請求項１記載の組替えデスク。
【請求項３】
前記幕板に棚板支持用の第４取付孔を上下方向に所定間隔毎に列設するとともに、前記棚板の後端面に前記第４取付孔に応じて螺孔を形成してなる請求項１又は２記載の組替えデスク。
【請求項４】
前記両脚板間の上端部で前方へ寄せて前記天板を取付け、両脚板の後端間に上端が前記脚板と面一若しくは脚板よりも上方へ突出状態で前記幕板を取付け、前記天板の後端と幕板間に形成される空間の下方に前記棚板を取付けてなる請求項１〜３何れかに記載の組替えデスク。
【請求項５】
天板、両脚板、幕板及び単又は複数の棚板とで構成し、前記両脚板間の上端部で前方へ寄せて前記天板を取付け、両脚板の後端間に背凭れ板となる前記幕板を取付け、前記天板の後端と幕板間に形成される空間の下方に座板となる前記棚板を取付けてなることを特徴とする対面型デスク。
【発明の詳細な説明】
【技術分野】
【０００１】
本発明は、組替えデスク及び対面型デスクに係わり、更に詳しくは用途に応じて態様を変更できる組替えデスク及び子供と大人が対面して使用できる対面型デスクに関するものである。
【背景技術】
【０００２】
従来から、天板、脚板、袖キャビネット、書棚等を組替えて所望の態様に変更可能な書棚付き机は各種提供されている。例えば、本出願人の先願に係る特許文献１には、天板の下面両側に脚板と幕板からなる平面視Ｌ字形の脚部を分離且つ着脱自在に設け、一方の脚部を取外した場合には、それを他方の脚部と一体化して天板下方に取付けることを可能となし、机を独立して使用できるとともに、書棚と組合せて書棚付き机として使用できる組替え机が開示されている。
【０００３】
また、特許文献２には、天板と、該天板の両側部を支持する天板支持体とからなる机本体の上面後部に、書棚を着脱可能に立設した書棚付き机であって、前記天板を、前記天板支持体に前後位置変更可能に取付けるとともに、天板を前方に位置変更した際に該天板の後方に生成される空きスペースに取付け可能な補助天板の両側端部を、前記天板支持体の後側面に着脱可能に取付けた書棚付き机が開示されている。
【０００４】
しかし、従来の組替え可能なデスクは、１人の使用者がその使用目的に応じて最適な態様に組替えるものであり、親と子供若しくは大人と子供が対面して同時に使用することを想定したものではない。
【特許文献１】実開平５−２０６４０号広報
【特許文献２】特許第３４４８８４２号公報
【発明の開示】
【発明が解決しようとする課題】
【０００５】
そこで、本発明が前述の状況に鑑み、解決しようとするところは、従来存在しなかった全く新しいコンセプトに基づき、親と子供若しくは大人と子供が対面して同時に使用することができる対面デスク態様へ組替えることが可能であるとともに、１人が使用する複数の態様にも組替えることが可能な組替えデスク及び対面型デスクを提供する点にある。
【課題を解決するための手段】
【０００６】
本発明は、前述の課題解決のために、天板、両脚板、幕板及び単又は複数の棚板とで構成し、両脚板間に天板を前後及び上下位置変更可能に取付けるとともに、両脚板の後端間に前記幕板を上下位置変更可能に取付け、更に前記棚板を両脚板間の後部に上下位置変更可能に取付けてなる組替えデスクを構成した。
【０００７】
ここで、前記脚板の前部に天板取付用の第１取付孔を上下方向に所定間隔毎に列設し、前記脚板の後部に棚板取付用の第２取付孔を上下方向に所定間隔毎に列設し、前記脚板の後端縁に沿って幕板取付用の第３取付孔を上下方向に所定間隔毎に設け、前記天板の側端面には前記第１取付孔及び第２取付孔に応じて前後位置変更可能とすべく前後方向に複数の螺孔を形成し、前記棚板の側端面には前記第２取付孔に応じて螺孔を形成し、前記幕板の側端面には前記第３取付孔に応じて上下方向に複数の螺孔を形成してなるのである。
【０００８】
また、前記幕板に棚板支持用の第４取付孔を上下方向に所定間隔毎に列設するとともに、前記棚板の後端面に前記第４取付孔に応じて螺孔を形成してなることが好ましい。
【０００９】
そして、前記両脚板間の上端部で前方へ寄せて前記天板を取付け、両脚板の後端間に上端が前記脚板と面一若しくは脚板よりも上方へ突出状態で前記幕板を取付け、前記天板の後端と幕板間に形成される空間の下方に前記棚板を取付けて、親と子供若しくは大人と子供が対面して同時に使用することができる対面デスク態様を実現する。
【００１０】
また、本発明は、天板、両脚板、幕板及び単又は複数の棚板とで構成し、前記両脚板間の上端部で前方へ寄せて前記天板を取付け、両脚板の後端間に背凭れ板となる前記幕板を取付け、前記天板の後端と幕板間に形成される空間の下方に座板となる前記棚板を取付けてなる対面型デスクを構成した（請求項５）。
【発明の効果】
【００１１】
以上にしてなる請求項１に係る発明の組替えデスクは、天板、両脚板、幕板及び単又は複数の棚板を、その取付孔の使用位置を選択して天板、棚板及び幕板の側端面に形成した螺孔を利用してネジ止めするだけで、親と子供若しくは大人と子供が対面して同時に使用することができる対面デスク態様や通常デスク態様、背面に幕板の上部が突出したフロントパネル付きデスク態様、床に座って使用する座デスク態様等を実現し、また簡単に組替えることができ、更に棚板との組合わせで多様性が増すのである。
【００１２】
請求項２によれば、所定の各部材に取付孔や螺孔を形成するだけの簡単な構成によって前述の多様な態様を実現することができ、また分解した場合にはコンパクトな梱包が可能であり、製造、保管、搬送コストを低く抑えることができる。
【００１３】
請求項３によれば、棚板の両端を両脚板に取付けるとともに、該棚板の後端を幕板の前面に連結することにより、該棚板に重量物を載置しても、例えば子供が座っても十分な強度を保つことができる。
【００１４】
請求項４によれば、天板の後部と幕板間の空間部に子供を入れ、その下方にある棚板を座板とし、幕板を背凭れ板として座らせ、天板の前方に親や大人が座って対面デスク態様として使用することができる。
【００１５】
請求項５に係る発明の対面型デスクは、天板の後端と幕板との間の空間から、前向きに子供を棚板上に座らせ、幕板を子供の背凭れ板として利用し、親若しくは大人は通常どおり天板の手前側に置いた椅子に座って着席し、親と子供若しくは大人と子供が対面して同時に使用することができる。
【発明を実施するための最良の形態】
【００１６】
次に添付図面に基づいて本発明の組替えデスクの詳細を説明する。図１〜図３は本発明の組替えデスクの特徴が最も発揮された対面デスク態様の実施形態を示し、図中符号１は天板、２は脚板、３は幕板、４は棚板をそれぞれ示している。
【００１７】
本発明に係る組替えデスクは、図１〜図３に示すように、天板１、両脚板２，２、幕板３及び単又は複数の棚板４とで構成し、両脚板２，２間に天板１を前後及び上下位置変更可能に取付けるとともに、両脚板２，２の後端間に前記幕板３を上下位置変更可能に取付け、更に前記棚板４を両脚板２，２間の後部に上下位置変更可能に取付けてなるものである。
【００１８】
更に詳しくは、前記天板１、両脚板２，２、幕板３及び棚板４は全て木材で作製している。前記天板１は、平面視長方形の板材で形成したものである。前記脚板２は、前後に配した一対の長尺脚材５，５間に面板６を一体的に固定し、該面板６の下方に前記脚材５，５の下部が突出した形状のものである。前記幕板３は、平面視長方形の板材で形成したものである。前記棚板４は、載置板７の上下一面であって両端に端板８，８、中間部の単又は複数箇所に仕切板９をそれぞれ直角に形成したものである。本実施形態では、２枚の仕切板９，９と端板８，８を略等間隔に配置している。そして、本発明では、このような棚板４を単又は複数用いるか、単純な板状の棚板と組合わせて用いる。
【００１９】
そして、図３に示すように、前記脚板２の前部に天板取付用の第１取付孔１０，１０を上下方向に所定間隔毎に列設し、前記脚板２の後部に棚板取付用の第２取付孔１１，１１を上下方向に所定間隔毎に列設し、更に前記脚板２の後端縁に沿って幕板取付用の第３取付孔１２を上下方向に所定間隔毎に設けている。ここで、前記第１取付孔１０，１０と第２取付孔１１，１１は、少なくとも前後位置に２箇所必要である。
【００２０】
また、図３に示すように、前記天板１の側端面には前記第１取付孔１０，１０及び第２取付孔１１，１１に応じて前後位置変更可能とすべく前後方向に複数の螺孔１３，…を形成し、前記棚板４の側端面には前記第２取付孔１１，１１に応じて螺孔１４，１４を形成し、前記幕板３の側端面には前記第３取付孔１２に応じて上下方向に複数の螺孔１５を形成している。本実施形態では、前記天板１の前後位置は３段階に調節可能であり、上下位置は６０ｍｍピッチで７段階に調節可能となるように螺孔１３の個数の位置が設定されている。
【００２１】
本実施形態では、前記天板１の奥行寸法は、後端が前記幕板３の前面に当接若しくは接近した状態で前記脚板２の前端と面一になるように設定し、つまり最も後方に天板１を位置させた状態で該天板１の前端が脚板２の前端と一致し、それから脚板２の前端より６０ｍｍと１８０ｍｍだけ天板１の前端が突出した状態を実現できるようにしている。ここで、前記天板１の側端面の前部には３箇所に螺孔１３，…を設け、後部には２箇所に螺孔１３，１３を設け、前端の螺孔１３の後方へ６０ｍｍと１８０ｍｍの位置に前部の螺孔１３，１３を設け、この３個の螺孔１３，…の何れかを選択して前記脚板２の前側の前記第１取付孔１０に外側から通したネジ１６を螺合する。後部においては天板１が最も後方位置の場合には後部２個の螺孔１３，１３のうち後側の螺孔１３と後側の第２取付孔１１を選択し、それより６０ｍｍ前側に位置させるときには後部２個の螺孔１３，１３のうち前側の螺孔１３と前側の第２取付孔１１を選択し、１８０ｍｍ前側に位置させるときには後部２個の螺孔１３，１３のうち後側の螺孔１３と後側の第１取付孔１０を選択し、前記同様にネジ１６で連結する。そのため、前記天板１の後部側の２個の螺孔１３，１３の間隔は６０ｍｍ、前記第２取付孔１１，１１の間隔は１２０ｍｍ、後側の第１取付孔１０と前側の第２取付孔１１の間隔は６０ｍｍに設定している。また、前記両脚板２，２間の最上段に天板１を取付けた場合にも、本実施形態では天板１よりも脚板２の上端が高くなっているが、天板１の上面と脚板２の上端が面一になるように設定してもよい。更に、前記天板１の前端が前記脚板２の前端より突出する長さは適宜変更可能であり、少なくとも後述のように天板後部に子供が着座することを考慮すれば、子供の上半身の前後厚さよりも若干長くする必要がある。
【００２２】
また、前記棚板４の奥行幅は、本実施形態では前記天板１の前後移動ストロークに合わせて１８０ｍｍに設定している。そして、前記棚板４の側端面の前後部に１２０ｍｍの間隔で螺孔１４，１４を形成している。
【００２３】
また、前記幕板３は、少なくとも上端が前記脚板２の上端と面一の状態と該脚板２の上端よりも突出した二段階に上下位置を調節可能となっている。そのため、前記脚板２の後縁に沿って上下方向に等間隔で３個の第３取付孔１２，…を形成するとともに、前記幕板３の側端面にも第３取付孔１２，…と同間隔で３個の螺孔１５，…を形成し、幕板３の上端が脚板２の上端と面一の状態で各第３取付孔１２，…と螺孔１５，…が全て重なるので、そのうちの少なくとも２箇所でネジ１６で連結し、幕板３の上端が脚板２の上端よりも突出した状態で下方２箇所の螺孔１５，１５と上方２箇所の第３取付孔１２，１２を用いてネジ１６，１６で連結する。本実施形態では、前記幕板３が脚板２より上方へ突出する高さは前記第３取付孔１２，…と螺孔１５，…の間隔で規定され、２４０ｍｍである。
【００２４】
更に、前記幕板３に棚板支持用の第４取付孔１７，…を上下方向に所定間隔毎に列設するとともに、前記棚板４の後端面に前記第４取付孔１７，…に応じて螺孔１８，…を形成している。本実施形態では、前記第４取付孔１７，…は上下ピッチ６０ｍｍで９段階に形成するとともに、前記棚板４の載置板７の後端面と前記各端板８及び仕切板９の後端部とに上下６０ｍｍの間隔で対となった螺孔１８，１８を形成し、前記幕板３の上下方向に８段階に相対位置を変更可能としている。従って、前記幕板３には表裏に貫通した前記第４取付孔１７，…が４列形成されている。
【００２５】
尚、前記螺孔１３、１４、１５，１８は、オニメナットを埋設して構成している。また、本実施形態では、各部材を木製で作製したが材質は任意である。本実施形態では、取付孔と螺孔とネジからなる着脱可能な連結手段を採用したが、その他の任意の連結手段を採用することができる。
【００２６】
そして、図１及び図２に示すように、前記両脚板２，２間の上端部で前方へ寄せて前記天板１を取付け、両脚板２，２の後端間に上端が前記脚板２よりも上方へ突出状態で前記幕板３を取付け、前記天板１の後端と幕板３間に形成される奥行幅が１８０ｍｍの空間Ｓの下方に前記棚板４を取付けて、親と子供若しくは大人と子供が対面して同時に使用することができる対面デスク態様を実現する。この場合、前記棚板４は、座板として使用するので、着座する子供の体格に応じて天板１との相対高さを適宜調節する。尚、前記幕板３の上端を前記脚板２の上端と面一に設定しても該幕板３は背凭れ板としての機能を十分に果たす。また、前記棚板４と幕板３とも連結することにより、該棚板４に子供が座っても十分な強度が確保できる。ここで、前記天板１の後縁中央部に円弧状等の凹部を形成し、該凹部が子供の腹部に対応するようにすることも好ましい。また、前記天板１の後部下面に落下防止棒を垂設し、該落下防止棒が股の間にくるように子供を前記棚板４に座らせることも好ましい。更に、前記幕板３に形成してある第４取付孔１７，…を利用してシートベルトを取付け、該シートベルトで子供の落下を防止することも好ましい。
【００２７】
また、この対面デスク態様の変形例として、図４に示した態様は、前述の図１に示した態様に対して前記棚板４の仕切板９，９を上方に向けた状態で両脚板２，２間に取付けるとともに、幕板３の前面に連結したものあり、前記両仕切板９，９の間に子供を座らせることにより、該仕切板９，９で子供を左右から支持することができるのである。
【００２８】
また、図５に示した使用態様は、図４に示した態様から天板１を最も後方に寄せて両脚板２，２間の上端部に取付けたものであり、幕板３の上部が天板１よりも上方へ突出して目隠しパネルとして作用するフロントパネル付きデスク態様である。尚、前記天板１の後部下方に位置する棚板４は、通常の棚板として書籍等を載置して使用することができる。
【００２９】
また、図６及び図７に示した使用態様は、図５に示した態様から幕板３を下げて該幕板３の上端と脚板２の状態とを面一にしたものであり、通常のデスク態様である。
【００３０】
また、図８に示した使用態様は、天板１を両脚板２，２の下部間で後端に寄せて取付けるとともに、幕板３の上端を脚板２の上端と面一の状態で両脚板２，２の後端間に取付け、更に両脚板２，２の後部であって天板１よりも上方位置に前記棚板４を取付けたものであり、床に直接座って使用することができる座デスク態様である。
【００３１】
また、図９に示した使用態様は、天板１を両脚板２，２の上端部間で最も前方へ寄せて取付けるとともに、該天板１と同じ高さ位置の両脚板２，２の後部間に前記棚板４を取付け、更に幕板３の上端を脚板２よりも上方へ突出させて両脚板２，２間に取付け、天板１の実質的奥行幅を広くした拡幅デスク態様である。
【００３２】
そして、図１０に示した使用態様は、図６に示した通常デスク態様において、前記棚板４を脚板２，２間から取外して、天板１の後部上面に載置し、該棚板４を本立として使用する本立付きデスク態様である。
【００３３】
尚、本実施形態では、前記第１取付孔１０，…と第２取付孔１１，…はそれぞれ独立させて２列に形成したが、後側の前記第１取付孔１０と前側の前記第２取付孔１１を共用し、即ち前記脚板２に３列の取付孔を形成し、前端部と中間部の取付孔を前記第１取付孔１０，…となし、中間部と後端部の取付孔を前記第２取付孔１１，…となすことも可能である。この場合には、前記天板１と棚板４を同一高さに取付ける拡幅デスク態様は構成できないが、その他の態様は前記同様に構成できる。また、この場合において前記天板１の前後調節ストロークは二段階となる。
【００３４】
何れの態様においても天板１、幕板３及び棚板４の高さは調節可能であり、その組合わせは多数になり、使用勝手に応じて組替えて使用することができる。本発明に係る組替えデスクは、子供に勉強を教えたり、食事を与えたりする用途を始め、大人や子供が単独でもデスクとして使用できるように組替えることができるのである。
【００３５】
本発明の対面型デスクは、天板１、両脚板２，２、幕板３及び単又は複数の棚板４とで構成し、前記両脚板２，２間の上端部で前方へ寄せて前記天板１を取付け、両脚板２，２の後端間に背凭れ板となる前記幕板３を取付け、前記天板１の後端と幕板３間に形成される空間Ｓの下方に座板となる前記棚板４を取付けてなるものであり、図１及び図２に示した構造のものである。この場合、各構成部材の連結は、着脱可能且つ位置変更可能である必要はなく、ダボと接着とで固定的に連結しても良く、勿論ネジ止めによって連結しても良い。
【図面の簡単な説明】
【００３６】
【図１】本発明の組替えデスクの代表的実施形態を示す対面デスク態様の斜視図である。
【図２】同じく対面デスク態様の断面図である。
【図３】同じく分解斜視図である。
【図４】図１の変形例を示す斜視図である。
【図５】フロントパネル付きデスク態様を示す斜視図である。
【図６】通常デスク態様を示す斜視図である。
【図７】同じく通常デスク態様の断面図である。
【図８】座デスク態様の斜視図である。
【図９】拡幅デスク態様の斜視図である。
【図１０】本立付きデスク態様の斜視図である。
【符号の説明】
【００３７】
１  天板            ２  脚板
３  幕板            ４  棚板
５  脚材            ６  面板
７  載置板          ８  端板
９  仕切板          １０  第１取付孔
１１  第２取付孔    １３  螺孔
１４  螺孔          １５  螺孔
１６  ネジ          １７  第４取付孔
１８  螺孔          Ｓ  空間
【図１】
2005124957.tif 000003
【図２】
2005124957.tif 000004
【図３】
2005124957.tif 000005
【図４】
2005124957.tif 000006
【図５】
2005124957.tif 000007
【図６】
2005124957.tif 000008
【図７】
2005124957.tif 000009
【図８】
2005124957.tif 000010
【図９】
2005124957.tif 000011
【図１０】
2005124957.tif 000012